(57)【特許請求の範囲】
【請求項１】
２つの防水パンを連結する連結ユニットであって、
各々の前記防水パンの端部間に架け渡されて当該端部間を上方から覆う上部連結部と、前記上部連結部の下側に設けられ前記防水パンの前記端部間から各々の前記防水パンの前記端部より下方に突出する下突出部と、を有する上側部材、および、
前記上側部材の前記下突出部の下端に上方から進入するビスにより取り付けられて前記上部連結部とともに前記防水パンの前記端部を挟持する下側部材、
を有し、
前記下側部材は前記下突出部とともに前記端部間に挿入され、
前記上側部材は、前記ビスを締めることにより、前記下側部材が当接されるとともに前記下突出部の側方に張り出しつつ前記端部と上下方向において対向する位置に案内される案内部を有していることを特徴とする連結ユニット。
【請求項２】
請求項１に記載の連結ユニットであって、
前記案内部は、前記端部間の中央側から前記端部の下側に向かって上昇する傾斜を有していることを特徴とする連結ユニット。
【請求項３】
請求項１または請求項２に記載の連結ユニットであって、
前記下側部材は、前記端部間の幅より狭い範囲内に配置されて前記ビスにより前記下突出部に仮止めされた状態で前記端部間に挿入されることを特徴とする連結ユニット。
【請求項４】
請求項３に記載の連結ユニットであって、
前記下側部材は、前記ビスを締めるときに前記下突出部の両側方に張り出すとともに各々の前記防水パンの前記端部と各々対向することを特徴とする連結ユニット。
【請求項５】
請求項１乃至請求項４のいずれかに記載の連結ユニットであって、
前記上側部材は、仮止めしている前記ビスを緩めたときに前記下側部材を支持する支持部を備えていることを特徴とする連結ユニット。
【請求項６】
請求項１乃至請求項５のいずれかに記載の連結ユニットと、
前記２つの防水パンと、
を有することを特徴とする防水室ユニット。
【発明の詳細な説明】
【技術分野】
【０００１】
本発明は、２つの防水パンを連結する連結ユニットおよび防水室ユニットに関する。
【背景技術】
【０００２】
防水パン上に浴槽が設置され、この周囲に一部には出入扉を供えた壁パネルと、天井を備えたユニットバスの２つを、夫々１つの壁パネルを取り除いて連結したバスユニットが知られている。このようなバスユニットにおいて、２つの防水パンを連結する場合には、例えば、一定の間隔を隔てて水平方向に延在する水平壁部と、これら水平壁部の内端から下方へ延出する側壁部と、これら側壁部間に架設された底壁部とを備えた連結部材を用いて、２つの防水パンを連結することが知られている（例えば、特許文献１参照）。この連結部材により２つの防水パンを連結する場合には、２つの防止パンの端縁に設けられた張出壁部と、その下方に各々配置した連結部材の水平壁部との間に弾性部材を介在させ、水平壁部の下面側に桟部材を配置し、張出壁部の上方から弾性部材、水平壁部、桟部材にタッピングネジを螺合して２つの防止パンを固定している。
【先行技術文献】
【特許文献】
【０００３】
【特許文献１】特許第５４０５３６９号公報
【発明の概要】
【発明が解決しようとする課題】
【０００４】
上記のように２つの防水パンを連結する場合には、施工現場において２つの防水パンの端縁、連結部材、弾性部材、桟部材など複数の部材を重ねた状態で、いずれの部材にもタッピングネジを螺合して固定しなければならないため、作業が繁雑であるという課題がある。また、現場においては、防水パンを並べて配置した後に、上方からの簡単な作業により容易に連結することが望まれている。
【０００５】
本発明は、かかる課題に鑑みてなされたものであり、その目的とするところは、２つの防水パンを容易に連結することが可能な連結ユニットおよび防水室ユニットを提供することにある。
【課題を解決するための手段】
【０００６】
かかる目的を達成するために本発明の連結ユニットは、２つの防水パンを連結する連結ユニットであって、各々の前記防水パンの端部間に架け渡されて当該端部間を上方から覆う上部連結部と、前記上部連結部の下側に設けられ前記防水パンの前記端部間から各々の前記防水パンの前記端部より下方に突出する下突出部と、を有する上側部材、および、  前記上側部材の前記下突出部の下端に上方から進入するビスにより取り付けられて前記上部連結部とともに前記防水パンの前記端部を挟持する下側部材、を有し、前記下側部材は前記下突出部とともに前記端部間に挿入され、前記上側部材は、前記ビスを締めることにより、前記下側部材が当接されるとともに前記下突出部の側方に張り出しつつ前記端部と上下方向において対向する位置に案内される案内部を有していることを特徴とする連結ユニットである。
【０００７】
このような連結ユニットによれば、上側部材の下側に設けられた下突出部の下端に上方から進入するビスにより取り付けられる下側部材は、下突出部とともに端部間に挿入されて、ビスを締めることにより案内部に当接されるとともに案内部により下突出部の側方に張り出しつつ端部と上下方向において対向する位置に案内されるので、上方からビスを締めることにより、防水パンの端部間に架け渡されて当該端部間を上方から覆う上部連結部とともに防水パンの端部を挟持して２つの防水パンを容易に連結することが可能である。
【０００８】
かかる連結ユニットであって、前記案内部は、前記端部間の中央側から前記端部の下側に向かって上昇する傾斜を有していることが望ましい。
このような連結ユニットによれば、下側部材は端部間の中央側から端部の下側に向かって上昇する傾斜をなす案内部に当接されるので、上方からビスを締めることにより引き上げられる際に、下側部材を案内部の傾斜に沿ってより確実に下突出部の側方に張り出させることが可能である。
【０００９】
かかる連結ユニットであって、前記下側部材は、前記端部間の幅より狭い範囲内に配置されて前記ビスにより前記下突出部に仮止めされた状態で前記端部間に挿入されることが望ましい。
このような連結ユニットによれば、下側部材は下突出部とともに端部間に挿入されるときには、端部間の幅より狭い範囲内に配置されてビスにより下突出部に仮止めされているので、下側部材を押さえる必要はなく、上方からの作業により容易に端部間に挿入することが可能である。
【００１０】
かかる連結ユニットであって、前記下側部材は、前記ビスを締めるときに前記下突出部の両側方に張り出すとともに各々の前記防水パンの前記端部と各々対向することが望ましい。
このような連結ユニットによれば、仮止めされた下側部材は、下突出部の両側方に張り出すとともに各々の防水パンの端部と各々対向するので、１本のビスを締めることにより２つの防水パンを挟持することが可能である。
【００１１】
かかる連結ユニットであって、前記上側部材は、仮止めしている前記ビスを緩めたときに前記下側部材を支持する支持部を備えていることが望ましい。
このような連結ユニットによれば、仮止めしているビスが緩められた下側部材を支持する支持部を上側部材が備えているので、たとえ仮止めしたビスが下側部材から外れたとしても、下側部材を支持部にて支持し上側部材から離脱することを防止することが可能である。
【００１２】
また、前記連結ユニットと、前記２つの防水パンと、を有することを特徴とする防水室ユニットである。
このような防水室ユニットによれば、２つの防水パンを上方からビスを操作することにより容易に連結することが可能な防水室ユニットを提供することが可能である。
【発明の効果】
【００１３】
本発明によれば、２つの防水パンを容易に連結することが可能な連結ユニットおよび防水室ユニットを提供することが可能である。
【図面の簡単な説明】
【００１４】
【図１】本実施形態に係る連結型バスユニットを説明するための概略図である。
【図２】本発明に係る連結ユニットの縦断面図である。
【図３】本発明に係る連結ユニットの分解斜視図である。
【図４】連結ユニットによる防水パンの連結方法を示す図である。
【図５】連結ユニットの変形例を示す図ある。
【発明を実施するための形態】
【００１５】
以下、本発明の一実施形態に係る連結ユニットおよび防水室ユニットについて図面を参照して説明する。
【００１６】
本実施形態では、図１に示すように、夫々バスタブ１ａが設置された２つの防水パン２が連結ユニット３により連結され、周囲が出入口建具、壁パネルおよび天井により囲まれた防水室ユニットの一例としての連結型バスユニット１を例に挙げて説明する。
【００１７】
以下の説明においては、連結型バスユニット１を浴室の入口側から見たときに、上下となる方向を上下方向、２つの防水パン２が並ぶ方向を幅方向、室内外方向である奥行き方向を見込み方向として示す。また、連結型バスユニット１を構成する各部材及び各部位については、単体の状態であっても連結型バスユニット１が施工された状態で上下方向、幅方向、見込み方向等となる方向にて方向を特定して説明する。
【００１８】
連結型バスユニット１は、夫々バスタブ１ａが設置された２つの防水パン２および引戸障子を備えた建具４などを有するバスユニット１Ａが１つの浴室内に並ぶように連結されて構成されており、各々のバスユニット１Ａは防止パン２上の奥側にバスタブ１ａが配置され、その手前に浴室の床をなす洗い場とされ、その手前側となる入口に引戸障子を備えた建具４が設けられている。尚、図１においては壁パネルを省略している。２つのバスユニット１Ａの境界となる壁は設けられることなく互いの天井（不図示）、奥側、左右側および手前側の壁（不図示）が連結材５(図２)により連結され、互いの防水パン２同士は連結ユニット３により連結されている。ここで、バスユニット１Ａは、閉塞された浴室を形成するユニットではなく、互いに隣り合うように配置した際に対面する壁が取り除かれて構成されている。
【００１９】
２つの防水パン２を連結する連結ユニット３は、各々の防水パン２の端部間に架け渡される上側部材７と、上側部材７に取り付けられて当該上側部材７とともに各々の防水パン２の端部を挟持する下側部材８と、上側部材７の上面に設けられた上部溝７１ａを塞ぐカバー部材９と、を有している。
【００２０】
上側部材７は、防水パン２の見込み方向における全長に亘って繋がる押出成形部材であり、各々の防水パン２の端部に沿って設けられた端部溝２ａ上とそれらの間に渡り、見込み方向に沿って設けられる上部連結部７１と、上部連結部７１の下側に設けられ２つの防水パン２の端部間から、各々の防水パン２の端部溝２ａを形成し防水パン２の端部をなす溝形成部２ｂより下方に突出する下突出部７２と、を有している。
【００２１】
上部連結部７１は、一方の防水パン２の端部溝２ａの上方から他方の防水パン２の端部溝２ａの上方に亘って設けられ、上部連結部７１における幅方向の中央部に見込み方向に沿う上部溝７１ａが形成されている。上部溝７１ａを形成し対向する壁部７１ｂには上部側にカバー部材９が嵌合される嵌合片７１ｃが設けられている。また、上部溝７１ａの底部７１ｄには、見込み方向に適宜間隔を隔てて上側部材７と下側部材８とを接合する接合ビス１０が通過され接合ビス１０を操作するドライバー等の工具が挿通される挿通孔７１ｅが、見込み方向に適宜間隔を隔てて複数箇所に設けられている。挿通孔７１ｅには、接合ビス１０により下側部材８が上側部材７に螺着された後に、当該挿通孔７１ｅを気密に閉塞するためにウェルナット１１がワッシャー１２とともにビス止めされる。
【００２２】
上部連結部７１の上面は、幅方向における中央部分に上部溝７１ａが設けられており、上溝部７１ａの両側が平坦に形成され、平坦な部位の両端は幅方向の端部に向かって各々高さが低くなるように形成されている。上側部材７の幅方向における両端部は、下方に垂設されて端部溝２ａの内側縁に沿う端部垂壁部７１ｆと、端部垂壁部７１ｆより中央側に設けられ下方に垂設されて端部溝２ａの外側縁に沿う中央垂壁部７１ｇと、が各々の防水パン２の端部溝２ａに収容されている。中央垂壁部７１ｇは端部垂壁部７１ｆより長く形成されており、端部溝２ａの底部２ｃに当接するように形成されている。中央垂壁部７１ｇの上端部には、上側部材７と、浴室の隣接する壁同士（不図示）を連結する連結材５とを固定するビスが螺合されるビス螺合部７１ｈが設けられている。
【００２３】
下突出部７２は、上部連結部７１の下面に設けられ２つの中央垂壁部７１ｇより各々中央側に互いに間隔を隔てて対向し２つの防水パン２の端部間に挿入される上対向壁部７２ａと、下突出部７２の下部に設けられ上対向壁部７２ａより狭い間隔を隔てて対向する下対向壁部７２ｂと、２つの下対向壁部７２ｂ間を塞ぐ下閉塞部７２ｃと、下閉塞部７２ｃから幅方向の両側に延出される支持部としての下延出部７２ｄと、下延出部７２ｄの先端に設けられ上方に突出する突起７２ｅと、上対向壁部７２ａの下端から延出され、端部間の中央側から溝形成部２ｂの下側に向かって上昇する傾斜を有し、下端部が突起７２ｅと上下方向に間隔を隔てて対向する位置まで設けられた案内部としての傾斜面７２ｆと、傾斜面７２ｆの下端と下対向壁部７２ｂの上端部とを繋ぎ上方に窪む上凹部７２ｇとを有している。下閉塞部７２ｃには、上部溝７１ａの底部７１ｄに設けられた挿通孔７１ｅと位置を合わせて、接合ビス１０のねじ部が挿通される貫通孔７２ｈが設けられており、下閉塞部７２ｃと両側に延出された下延出部７２ｄの下面とは平面をなすように形成されている。
【００２４】
下側部材８は、平坦な鋼板の両端部を上方に折り曲げた折曲部８１を備え、２つの折曲部８１間の平坦な平板部８２の中央には貫通孔７２ｈを挿通された接合ビス１０が螺合されるタップ孔８２ａが設けられている。
【００２５】
２つの折曲部８１は、平板部８２の長手方向が見込み方向と直交する方向に配置されたときに各々端部溝２ａの溝形成部２ｂの下の位置にて、板面が見込み方向に沿うように形成されている。各々の折曲部８１は、板面に沿う両方向において上部が下部より突出する折曲突出部８１ａを有しており、折曲突出部８１ａの先端部は上下方向に延出されている。すなわち、折曲部８１は上端部が下部より、板面に沿う方向に延出された腕部８１ｂを有し、腕部８１ｂの先端に腕部８１ｂより上下に突出する上突部８１ｃと下突部８１ｄとを有する先端突部８１ｅが設けられている。上突部８１ｃの上端と下突部８１ｄの下端との距離は、下突出部７２の突起７２ｅと傾斜面７２ｆの下端との間隔より僅かに狭く形成されている。
【００２６】
カバー部材９は、上側部材７の見込み方向における全長に亘って上部溝７１ａを覆う押出成形部材であり、上部溝７１ａを覆う蓋部９ａと、蓋部９ａの下面に設けられ上側部材７の嵌合片７１ｃと嵌合する嵌合部９ｂとを有している。
【００２７】
本実施形態の連結ユニット３により２つの防水パン２を連結する場合には、まず、下側部材８を上側部材７に仮止めする。このとき、下側部材８が有する平板部８２の長手方向が上側部材７の長手方向と直交する状態から、上方から見て反時計周りに下側部材８を回転させるとともに、両側に設けられた折曲部８１が２つずつ備える上突部８１ｃの一方ずつが下突出部７２の上凹部７２ｇに当接するかまたは傾斜面７２ｆの下端が腕部８１ｂに当接する状態で下側部材８が回転しない程度に接合ビス１０を締めておく。この状態で、上側部材７に対して傾いて仮止めされた下側部材８は、２つの防水パン２の間隔より狭い範囲に収められている。
【００２８】
次に、下側部材８が仮止めされた下突出部７２を２つの防水パン２の間に挿入する。次に、接合ビス１０を緩めることにより下側部材８が降下し、上凹部７２ｇ側に位置していた先端突部８１ｅが下延出部７２ｄ側に移動し、下突部８１ｄが下延出部７２ｄに当接されるかまたは突起７２ｅが腕部８１ｂに当接された状態で下側部材８が下延出部７２ｄに支持される。このとき、接合ビス１０とタップ孔８２ａとの摩擦により下側部材８が反時計回りに回転する力が下側部材８に作用するが、先端突部８１ｅが下対向壁部７２ｂを押圧する方向に作用するため、先端突部８１ｅが下延出部７２ｄ上に位置する状態が維持される。
【００２９】
次に、接合ビス１０を上方から見て時計方向に回転させると、下側部材８が引き上げられて上昇し始める。このとき、接合ビス１０とタップ孔８２ａとの摩擦により下側部材８が時計周りに回転する力が作用し、先端突部８１ｅが突起７２ｅ側に移動して突起７２ｅに当接され、更に接合ビス１０が締められることにより、下側部材８が上昇して先端突部８１ｅが突起７２ｅの上を通過しつつ下突出部７２の側方に張り出し、傾斜面７２ｆの下方に移動する。
【００３０】
次に、接合ビス１０を更に締めることにより、先端突部８１ｅの上突部８１ｃが傾斜面７２ｆに当接し、その後、先端突部８１ｅが傾斜面７２ｆに沿って防水パン２側に移動する。接合ビス１０を締め続けると２つの折曲部８１は各々２つの防水パン２の溝形成部２ｂの下側に向かって移動する。そして、接合ビス１０を締め込むことにより、先端突部８１ｅが傾斜面７２ｆから外れて先端突部８１ｅの上縁が溝形成部２ｂと対向する位置に移動して下側部材８が上側部材７に固定される。このとき、上側部材７の上部連結部７１と下側部材８の折曲部８１とにより２つの防水パン２の溝形成部２ｂ、すなわち端部が挟持される。接合ビス１０が締め込まれて下側部材８が上側部材７に固定されたときに、下側部材８の平板部８２の折曲部８１側が、接合ビス１０が螺合されている部位より低くなり平板部８２が反るように下側部材８を形成しておくことにより、より強固に溝形成部２ｂが挟持される。
【００３１】
本実施形態の連結ユニット３によれば、上側部材７の下側に設けられた下突出部７２の下端に上方から進入する接合ビス１０により取り付けられる下側部材８は、下突出部７２とともに２つの防水パン２の端部をなす溝形成部２ｂ間に挿入されて、接合ビス１０を締めることにより傾斜面７２ｆに当接されるとともに傾斜面７２ｆにより下突出部７２の側方に張り出しつつ溝形成部２ｂと上下方向において対向する位置に案内されるので、上方から接合ビス１０を締めることにより、防水パン２の溝形成部２ｂ間に架け渡されて当該溝形成部２ｂ間を上方から覆う上部連結部７１とともに防水パン２の溝形成部２ｂを挟持して２つの防水パン２を容易に連結することが可能である。
【００３２】
また、下側部材８は２つの溝形成部２ｂ間の中央側から各々の溝形成部２ｂの下側に向かって上昇する傾斜をなす傾斜面７２ｆに当接されるので、上方から接合ビス１０を締めることにより引き上げられる際に、下側部材８の先端突部８１ｅを傾斜面７２ｆｆの傾斜に沿ってより確実に下突出部７２の側方に張り出させることが可能である。
【００３３】
また、下側部材８は下突出部７２とともに２つの溝形成部２ｂ間に挿入されるときには、２つの溝形成部２ｂ間の幅より狭い範囲内に配置されて接合ビス１０により下突出部７２に仮止めされているので、下側部材８を押さえる必要はなく、上方からの作業により容易に２つの溝形成部２ｂ間に挿入することが可能である。
【００３４】
また、仮止めされた下側部材８は、下突出部７２の両側方に張り出すとともに各々の防水パン２の溝形成部２ｂと各々対向するので、１本の接合ビスを締めることにより２つの防水パン２を挟持することが可能である。
【００３５】
また、仮止めしている接合ビス１０が緩められた下側部材８を支持する下延出部７２ｄを上側部材７が備えているので、たとえ仮止めした接合ビス１０が下側部材８から外れたとしても下側部材８を下延出部７２ｄにて支持し、上側部材７から外れ落ちることを防止することが可能である。
また、２つの防水パン２を上方から接合ビス１０を操作することにより容易に連結することが可能な連結型バスユニット１を提供することが可能である。
【００３６】
上記実施形態においては、下側部材８が平板部８２の長手方向における両端部に先端突部８１ｅを備えて、１つの下側部材８により２つの防水パン２の端部を挟持する例について説明したが、これに限るものではない。例えば、図５に示すように、平板部１３ａの一方の端部側に接合ビス１０が螺合させるタップ孔１３ｂを有し、他方側に折曲部１３ｃを備え、２つの防水パン２を一方側ずつ挟持する下側部材１３であっても構わない。
上記実施形態においては、防水室ユニットとして、バスタブ１ａが設置された２つの防水パン２が連結ユニット３により連結されている連結型バスユニット１を例に挙げて説明したが、これに限るものではない。たとえば、シャワー室など浴室でなくとも、複数の防水パンを連結して用い、防水性を備える室を形成する防水室ユニットであれば構わない。
【００３７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  連結型バスユニット、２  防水パン、２ｂ  溝形成部、３  連結ユニット、
７  上側部材、８  下側部材、１０  接合ビス、１３  下側部材、７１  上部連結部、
７２  下突出部、７２ｄ  下延出部、７２ｆ  傾斜面
【図１】
0006442353.tif 000002
【図２】
0006442353.tif 000003
【図３】
0006442353.tif 000004
【図４】
0006442353.tif 000005
【図５】
0006442353.tif 000006